(57)【特許請求の範囲】
【請求項１】
基部（４１，５１）と、該基部（４１，５１）から延出する少なくとも一対の脚部（４２，５２，５２´）とを有し、前記基部（４１，５１）及び前記一対の脚部（４２，５２，５２´）によって包囲される収容部（４３，５３）を形成するスライドファスナー用止具（４０，５０）であって、
前記一対の脚部（４２，５２，５２´）は、前記基部（４１，５１）と反対側に設けられた一対の開口側端部（４４）と、前記収容部（４３，５３）の開口側端部（４４）寄りに設けられ、前記一対の開口側端部（４４）の互いに対向する対向面（４４ａ）よりも内側に突出する一対の突出部（４８）と、互いに対向する内壁面（４２ａ）において、前記一対の突出部（４８）より基部（４１，５１）側で内側に向けて突出する複数の突起部（４９）と、を有し、
前記一対の突出部（４８）は、前記開口側端部（４４）側から基部（４１，５１）側にかけて互いの距離が徐々に広がるように形成された傾斜面（４８ａ）を有し、
前記複数の突起部（４９）は、前記開口側端部（４４）側から基部（４１，５１）側にかけて互いの距離（ａ２）が徐々に短くなるように形成された他の傾斜面（４９ａ）を有することを特徴とするスライドファスナー用止具。
【請求項２】
前記一対の突出部（４８）が最も接近する部分（４８ｃ）間の距離（ａ１）は、ファスナーテープ（１１）の芯部（１３）の直径（ａ）よりも短いことを特徴とする請求項１に記載のスライドファスナー用止具。
【発明の詳細な説明】
【技術分野】
【０００１】
この発明は、スライドファスナー用止具に関し、より詳細には、一側縁に芯部を備えたファスナーテープに、ファスナーエレメントと連接して取り付けられ、スライダーの摺動を停止させる機能を備えた金属製の上止または下止であるスライドファスナー用止具に関する。
【背景技術】
【０００２】
図１０は、ファスナーテープの一側縁に形成した膨大状の芯部に取り付けられる、特許文献１に記載のスライドファスナーの上止１００を示す。上止１００は、基部１０１の両端部から一対の脚部１０２を延設し、基部１０１と脚部１０２とに包囲される収容部１０３に芯部を収容した状態で、一対の脚部１０２を加締めることで、芯部に止着される。脚部１０２の先端に突設する停止片１０４は、摺動するスライダーを停止させる機能を有する。【０００３】
また、基部１０１の内面には、ファスナーテープの芯部を正確に位置決めするための突条部１０５が設けられており、突条部１０５と脚部１０２の付根との間に設けた空隙部１０６は、脚部１０２を加締める際に、芯部を収容部１０３内で容易に変形させて捕捉している。さらに、脚部１０２の内面には、複数の突出部１０７が設けられており、収容部１０３内に配置した芯部を複数の突出部１０７により的確に捕捉している。【０００４】
一方、図１１は、ファスナーテープの芯部に取り付けられる、特許文献２に記載のスライドファスナーの下止２００を示す。下止２００は、その両側面に形成された開口部分にファスナーテープ２０１の芯部２０２を挿入した後、下板２０３の脚部２０４を上板２０５に向けて変形させて圧接することで芯部２０２を挟持し、摺動するスライダーを下止２００に当接させてスライダーの摺動を停止する。【０００５】
また、基部２０６の左右両側面には突条部２０７が設けられており、下板２０３の変形時に基部２０６の破損を防止する。さらに、下板２０３の脚部２０４と上板２０５の脚部２０８との内面には、複数の突起２０９，２１０がそれぞれ設けられ、取り付けられた芯部が下止２００から抜けるのを防止している。
【先行技術文献】
【特許文献】
【０００６】
【特許文献１】日本国特許第４０６２６２０号公報（第９図）
【特許文献２】日本国特開２００８−１２５７３７号公報（第４図）
【発明の概要】
【発明が解決しようとする課題】
【０００７】
ところで、近年、スライドファスナー用止具は、安全に対する意識の向上から芯部への取付強度の強化が求められている。特に、特許文献１及び２に記載の止具においても、該止具が小型化した場合に、より確実に芯部の加締め量を向上することが望まれる。【０００８】
また、加締め機にて止具を芯部に加締め固定する際、芯部は加締め機に固定された止具の収容部に手動または自動で挿入される。この際、止具に対して芯部がしっかりと位置決めされることが望まれており、加締めた際のセット位置がしっかり位置決めされていないと、外観が悪くなり、また、突起部の芯部への食い込み方が変わってしまい、強度が低下する可能性がある。【０００９】
本発明は、上記事情に鑑みてなされたものであり、その目的は、芯部への取付強度の向上と共に、止具に対して芯部をセット位置に安定してセットすることができるスライドファスナー用止具を提供することにある。
【課題を解決するための手段】
【００１０】
本発明の上記目的は、下記の構成により達成される。
（１）基部と、該基部から延出する少なくとも一対の脚部とを有し、前記基部及び前記一対の脚部によって包囲される収容部を形成するスライドファスナー用止具であって、
前記一対の脚部は、前記基部と反対側に設けられた一対の開口側端部と、前記収容部の開口側端部寄りに設けられ、前記一対の開口側端部の互いに対向する対向面よりも内側に突出する一対の突出部と、互いに対向する内壁面において、前記一対の突出部より基部側で内側に向けて突出する複数の突起部と、を有し、
前記一対の突出部は、前記開口側端部側から基部側にかけて互いの距離が徐々に広がるように形成された傾斜面を有し、
前記複数の突起部は、前記開口側端部側から基部側にかけて互いの距離が徐々に短くなるように形成された他の傾斜面を有することを特徴とするスライドファスナー用止具。
（２）前記一対の突出部が最も接近する部分間の距離は、ファスナーテープの芯部の直径よりも短いことを特徴とする（１）に記載のスライドファスナー用止具。
【発明の効果】
【００１１】
本発明のスライドファスナー用止具によれば、基部と、基部から延出する一対の脚部とを有し、基部及び一対の脚部によって包囲される収容部を形成する。一対の脚部は、基部と反対側に設けられた一対の開口側端部と、収容部の開口側端部寄りに設けられ、一対の開口側端部の、互いに対向する対向面よりも内側に突出する一対の突出部とを有する。
これにより、芯部がセット位置に位置決めされた状態において、芯部は開口側端部の対向面より突出した一対の突出部との接触面積を増加させることができ、加締め時において芯部を安定してセットすることができる。また、上記形状の一対の突出部は、加締め加工後においても芯部との接触面積を十分に保てることから、上止はそのサイズが小さい場合においても芯部を強固に固定することができる。
また、本発明のスライドファスナー用止具によれば、一対の脚部は、互いに対向する内壁面において、一対の突出部より基部側で内側に向けて突出する複数の突起部を備えるので、芯部がセット位置に位置決めされた状態において、芯部は一対の突起部によって接触面積を増加させることができ、加締め時において芯部を安定してセットすることができる。また、加締め加工後においても芯部は一対の突起部と接触面積を十分に保てることから、上止のサイズが小さい場合においても芯部を強固に固定することができる。
また、本発明のスライドファスナー用止具によれば、一対の突出部は、開口側端部側から基部側にかけて互いの距離が徐々に広がるように形成された傾斜面を有するので、芯部を一対の傾斜面に沿って挿入抵抗が少ない状態でセット位置へ向かって移動させることができる。
また、本発明のスライドファスナー用止具によれば、複数の突起部は、開口側端部側から基部側にかけて互いの距離が徐々に短くなるように形成された他の傾斜面を有するので、芯部がセット位置に位置決めされた状態において、他の傾斜面は、芯部の先端側の円弧面と面接触することができ、芯部をより安定してセットすることができる。
【図面の簡単な説明】
【００１２】
【図１】本発明の第１実施形態に係るスライドファスナー用止具としての上止が取り付けられたスライドファスナーの正面図である。
【図２】（ａ）は、図１の上止の斜視図であり、（ｂ）は、その断面図である。
【図３】ファスナーテープの芯部が上止に挿入される過程を示す断面図であり、（ａ）は、芯部が上止に挿入される前の状態、（ｂ）は、芯部が突出部を通過している状態、（ｃ）は、芯部が収容部に収まった状態を示す。
【図４】上止が芯部に加締めて取り付けられた状態を示す断面図である。
【図５】（ａ）は、第１実施形態の変形例に係る上止の斜視図であり、（ｂ）は、（ａ）の上止が芯部に加締めて取り付けられた状態を示す断面図である。
【図６】（ａ）は、第１実施形態の他の変形例に係る上止の斜視図であり、（ｂ）は、（ａ）の上止が芯部に加締めて取り付けられた状態を示す断面図である。
【図７】本発明の第２実施形態に係るスライドファスナー用止具としての下止が取り付けられたスライドファスナーの正面図である。
【図８】図７の下止の斜視図である。
【図９】下止が芯部に加締めて取り付けられた状態を示す断面図である。
【図１０】公知の上止を示す斜視図である。
【図１１】他の公知の上止が芯部に挿入される前の状態を示す図である。
【発明を実施するための形態】
【００１３】
以下、本発明の各実施形態に係るスライドファスナー用止具について、図面を参照しながら詳細に説明する。
【００１４】
図１は、本発明の第１実施形態に係るスライドファスナー用止具としての上止が適用されるスライドファスナー１０を示す。スライドファスナー１０は、左右一対のファスナーテープ１１と、左右一対のファスナーテープ１１にそれぞれ設けられる左右一対のファスナーエレメント列２０と、左右のファスナーエレメント列２０を噛合・分離させるスライダー３０とを備える。そして、スライダー３０を前後方向に移動させることにより、左右のファスナーエレメント列２０が噛合・分離される。
【００１５】
左右一対のファスナーテープ１１は、長手方向に連続し、幅方向に平行に配置される左右一対のテープ部材１２と、それぞれのテープ部材１２の対向するテープ側縁部に設けられ、テープ部材１２の表裏方向に厚い膨大状の芯部１３とを備える。なお、テープ部材１２は、織製であってもよいし、編製であってもよい。芯部１３は、テープ部材１２よりも太い芯材を、織製又は編製のテープ部材１２と同時に織込み又は編込みされて設けられる。
【００１６】
左右一対のファスナーエレメント列２０は、複数のファスナーエレメント２１から構成されており、ファスナーテープ１１の芯部１３に装着されている。また、左右一対のファスナーエレメント列２０の下方には、左右一対のファスナーテープ１１を完全に分離するための開離嵌挿具１４を備える。開離嵌挿具１４は、一方のファスナーエレメント列２０の下端に連続する形でファスナーテープ１１の芯部１３に取り付けられた箱棒１５及び箱体１６と、他方のファスナーエレメント列２０の下端に連続する形でファスナーテープ１１の芯部１３に取り付けられた蝶棒１７とを有する。なお、図１中、符号１８は、補強テープを示す。
【００１７】
また、左右一対のファスナーエレメント列２０の上端から連続する形で、ファスナーテープ１１の芯部１３には、上止４０が取り付けられている。上止４０は、亜鉛合金、アルミニウム合金などの金属素材を用いてダイカスト成形により作製し、または押出→圧延→切断→研磨加工によって作製する。
【００１８】
図２（ａ）及び（ｂ）にも示すように、上止４０は、中央部分をなす所定の長さを持った略平板状の基部４１と、該基部４１の両長辺から徐々に拡開するように、基部４１の面に対して同じ側に延出する一対の脚部４２とを有し、基部４１と反対側の脚部４２の端部を開口側端部４４として、断面略Ｕ字形状に形成される。すなわち、上止４０の断面形状は、基部４１の面と直交して基部４１の中間部を通過する線Ｌに対して対称な形状を有する（図２（ｂ）参照。）。そして、基部４１の内面４１ａ及び一対の脚部４２の互いに対向する内壁面４２ａによって包囲されて形成される収容部４３がファスナーテープ１１の芯部１３を収容する。
【００１９】
一対の脚部４２は、基部４１から開口側端部４４側に向けて徐々に薄肉となるように形成された一対の収容部画成部４２ｂと、該収容部画成部４２ｂから連続して基部４１と反対側に設けられた一対の開口側端部４４とを有する。一対の開口側端部４４は、収容部画成部４２ｂに対して内側に膨出することで肉厚を増加しており、互いに対向する平面状の対向面４４ａをそれぞれ有している。
【００２０】
一対の開口側端部４４の先端からは、摺動するスライダー３０のフランジ３１（図１参照。）と当接してスライダー３０を停止させる機能を有する一対の停止片４５が突出している。一対の開口側端部４４の対向面４４ａと、一対の停止片４５の互いに対向する対向面４５ａとは、連続した略平面状をなしている（図２（ａ）及び（ｂ）参照）。
【００２１】
基部４１の内面４１ａには、細幅状の１条の突条部４６が設けられ、突条部４６は上止４０の全長に亘って連続状、または断続状に形成される。そして、突条部４６と脚部４２の付根との間には、芯部１３が押圧変形した際、逃避できる隙間をなす空隙部４７が設けられる。
【００２２】
また、一対の脚部４２の内壁面４２ａには、収容部４３の開口側端部寄りに設けられ、一対の開口側端部４４の対向面４４ａよりも内側、即ち、相手側の脚部４２側に突出する一対の突出部４８と、該一対の突出部４８より基部４１側、即ち、収容部４３の基部寄りで内側に向けて突出する一対の突起部４９とが設けられる。
ここで、「収容部４３の開口側端部寄り」とは、図３（ｃ）に示すように、ファスナーテープ１１の芯部１３が上止４０の収容部４３にセットされた状態において、芯部１３の中心Ｃよりも開口側端部寄りであることを表し、「収容部４３の基部寄り」とは、芯部１３の中心Ｃよりも基部寄りであることを表す。
【００２３】
図２（ｂ）に示すように、一対の突出部４８は、開口側端部４４から基部４１側にかけて互いの距離ａ１が徐々に広がるように形成された一対の傾斜面４８ａを有する。また、一対の突出部４８は、これら傾斜面４８ａから延びて最も接近する部分４８ｃ、即ち最も突出する部分間の距離ａ１が、ファスナーテープ１１の芯部１３の直径ａよりも短くなるように形成されている。一方、一対の突起部４９は、開口側端部４４から基部４１側にかけて互いの距離ａ２が徐々に短くなるように形成された一対の他の傾斜面４９ａを有する。
【００２４】
このように形成される上止４０は、図３（ａ）に示すように、一対の脚部４２を上下から加圧変形、即ち、加締め加工することで、芯部１３を強固に止着する。具体的に、図３（ａ）に示すように、上止４０が加締め機に固定された状態で、ファスナーテープ１１が手動又は自動で上止４０の収容部４３へ収容されていく。この過程で、図３（ｂ）に示すように、芯部１３は、一対の突出部４８の開口側端部寄りに形成された最も接近する部分４８ｃを乗り越え、突出部４８の傾斜面４８ａに沿ってセット位置へ向かって移動する。このため、一対の突起部４８の最も接近する部分４８ｃを芯部１３が通過するときは一時的に挿入抵抗が大きくなるが、該最も接近する部分４８ｃを乗り越えた後は、一対の傾斜面４８ａに沿って挿入抵抗が少ない状態でセット位置へ向かって移動することができる。
【００２５】
そして、図３（ｃ）に示すように、芯部１３の先端が基部４１の突条部４６に接触して、芯部１３のセット位置に正確に位置決めされる。また、芯部１３がセット位置に位置決めされた状態では、芯部１３が加締め時において安定するように、芯部１３は一対の突出部４８及び一対の突起部４９の各傾斜面４８ａと面接触するとともに、これらの各長手方向側面４８ｂ，４９ｂ（図２（ａ）参照。）と部分的に面接触している。また、一対の突出部４８の最も接近する部分４８ｃ間の距離ａ１が芯部１３の直径ａよりも狭いので、芯部１３は一対の突出部４８の傾斜面４８ａによって基部４１側へ付勢され、より安定してセットされる。
【００２６】
そして、図３（ｃ）に示す状態から一対の脚部４２を加締め加工することで、上止４０がファスナーテープ１１の芯部１３を止着する。これにより、芯部１３が突条部４６と脚部４２の付根部分との間に形成された空隙部４７へ逃避して充填できるようになる。また、一対の突出部４８と一対の突起部４９は、これら傾斜面４８ａ、４９ａの両方で芯部１３と接触するとともに、これらの長手方向の各側面４８ｂ、４９ｂ（図２（ａ）参照。）でも芯部１３と接触するので、芯部１３の加締め量を増加することができる。特に、一対の突出部４８は、開口側端部４４の対向面４４ａよりも内側に突出しているので、側面４８ｂでの芯部１３との接触面積が増加し、芯部１３をより強固に止着することができる。
【００２７】
以上説明したように、本実施形態の上止４０によれば、基部４１と、基部４１から延出する一対の脚部４２とを有し、基部４１及び一対の脚部４２によって包囲される収容部４３を形成する。そして、一対の脚部４２は、基部４１と反対側に設けられた一対の開口側端部４４と、収容部４３の開口側端部寄りに設けられ、一対の開口側端部４４の互いに対向する対向面４４ａよりも内側に突出する一対の突出部４８とを有する。
【００２８】
これにより、芯部１３がセット位置に位置決めされた状態において、芯部１３は開口側端部４４の対向面４４ａより突出した一対の突出部４８と接触面積を増加させることができ、加締め時において芯部１３を安定してセットすることができる。また、上記形状の一対の突出部４８は、加締め加工後においても芯部１３との接触面積を十分に保てることから、上止４０はサイズが小さい場合においても芯部１３を強固に固定することができる。具体的に、上止４０を下方にしてスライドファスナー１０を固定した状態で、上止４０に下方から錘を吊り下げて上止４０の保持力が基準を満たすかどうかを確認するという規格に対して、本実施形態の上止４０は、サイズが小さい場合においても十分に満たすことができる。
【００２９】
また、一対の突出部４８の最も接近する部分４８ｃ間の距離ａ１が芯部１３の直径ａよりも短いので、芯部１３がセット位置に位置決めされた状態において、芯部１３を一対の突出部４８の傾斜面４８ａによって基部４１側へ付勢し、より安定してセットすることができる。
【００３０】
さらに、一対の突出部４８は、開口側端部４４側から基部４１側にかけて互いの距離ａ１が徐々に広がるように形成された傾斜面４８ａを有するので、芯部１３を一対の傾斜面４８ａに沿って挿入抵抗が少ない状態でセット位置へ向かって移動させることができる。
【００３１】
加えて、一対の脚部４２は、互いに対向する内壁面４２ａにおいて、一対の突出部４８より基部側で内側に向けて突出する一対の突起部４９を備えるので、芯部１３がセット位置に位置決めされた状態において、芯部１３は一対の突起部４９によって接触面積を増加させることができ、加締め時において芯部１３を安定してセットすることができる。また、加締め加工後においても芯部１３は一対の突起部４９と接触面積を十分に保てることから、上止４０のサイズが小さい場合においても芯部１３を強固に固定することができる。
【００３２】
また、一対の突起部４９は、開口側端部４４側から基部４１側にかけて互いの距離ａ２が徐々に短くなるように形成された他の傾斜面４９ａを有するので、芯部１３がセット位置に位置決めされた状態において、他の傾斜面４９ａは、芯部１３の先端側の円弧面と面接触することができ、芯部１３をより安定してセットすることができる。
【００３３】
なお、第１実施形態の変形例として、図５（ａ）及び（ｂ）に示す上止４０ａのように、一対の脚部４２が、上記実施形態の一対の突起部４９を有しない構成であってもよい。この場合にも、芯部１３がセット位置に位置決めされた状態において、芯部１３は一対の突出部４８との接触面積を増加することができ、加締め時において芯部１３を安定してセットすることができる。また、一対の突出部４８が加締め工程後においても芯部１３との接触面積を十分に保てることから、芯部１３を強固に固定することができる。
【００３４】
また、第１実施形態の他の変形例として、図６（ａ）及び（ｂ）に示す上止４０ｂのように、一対の脚部４２が、上記実施形態の一対の停止片４５を有しない構成であってもよい。この場合、スライダー３０が摺動した際に、案内柱３２を通過した一方の上止４０ｂの基部４１と、該基部４１と対向するファスナーエレメント２１又は他方の上止４０ｂの基部４１とが接触することで、ファスナーエレメント２１同士の噛み合いを不能にしてスライダー３０の摺動動作を停止させる。
なお、ファスナーエレメント２１が分離した状態で入出する側のスライダー３０の開口部分に対して上止４０ｂのサイズが大きい場合には、該開口部分に上止４０ｂが接触することで、スライダー３０の摺動動作を停止させるようにしてもよい。
【００３５】
（第２実施形態）
図７は、第１実施形態の開離嵌挿具１４の代わりに、本発明の第２実施形態に係るスライドファスナー用止具としての下止５０が取り付けられたスライドファスナーの正面図である。なお、第１実施形態と同等部分については同一符号を付して、説明を省略或いは簡略化する。
【００３６】
図８及び図９に示すように、下止５０は、中央部分をなす、所定の長さを持った略平板状の基部５１と、該基部５１の両長辺から徐々に拡開するように、基部５１の面に対して同じ側に延出する一対の脚部５２と、一対の脚部５２と反対側で、基部５１の面に対して同じ側に延出する他の一対の脚部５２´とを有し、断面略Ｈ字形状に形成される。すなわち、下止５０の断面形状は、基部４１の面と直交して基部４１の中間部を通過する線Ｌに対して対称、且つ、基部４１の面に沿って基部４１の中間部を通過する線Ｌ１に対して対称な形状を有する（図９参照。）。そして、基部５１の内面５１ａ及び一対の脚部５２の互いに対向する内壁面５２ａによって包囲されて形成される収容部５３、及び基部５１の内面５１ａ及び他の一対の脚部５２´の互いに対向する内壁面５２ａ´によって包囲されて形成される収容部５３´が左右一対のファスナーテープ１１の芯部１３をそれぞれ収容する。
【００３７】
なお、一対の脚部５２及び他の一対の脚部５２´は、停止片４５を有しない以外において第１実施形態の一対の脚部４２と実質的に同様の構成であり、即ち、開口側端部４４、突条部４６、一対の突出部４８、及び一対の突起部４９を含んでいる。
【００３８】
このため、各ファスナーテープ１１の芯部１３を一対の脚部５２及び他の一対の脚部５２´の収容部５３、５３´へセットする際、及びセット後に加締め加工する際には、第１実施形態と同様の効果を奏することができる。
【００３９】
なお、本発明は、上述した実施形態に限定されるものでなく、適宜、変形、改良等が可能である。
本実施形態では、一対の脚部４２，５２は、それぞれ一つずつ設けられた一対の突起部４９を有するとしたが、それぞれ複数ずつ設けられた複数の突起部４９を有して、加締め量を増加してもよい。但し、止具４０，５０をダイカスト成形する場合には、突起部４９は、金型の関係上、一対の脚部４２，５２にそれぞれ一つずつ設けることが好ましい。
また、一対の突出部４８の開口側側面４８ｄ（図２（ａ）参照。）は、収容部画成部４２ｂと開口側端部４４との境界位置に形成されてもよいし、開口側端部に延出して形成されてもよい。
【符号の説明】
【００４０】
１０  スライドファスナー
１１  ファスナーテープ
２０  ファスナーエレメント列
３０  スライダー
４０ 上止（スライドファスナー用止具）
４１，５１  基部
４２，５２，５２´  脚部
４３，５３  収容部
４４  開口側端部
４５  停止片
４６  突条部
４７  空隙部
４８  突出部
４８ａ  傾斜面
４９  突起部
４９ａ  他の傾斜面
５０ 下止（スライドファスナー用止具）
【図１】
0005458418.tif 000002
【図２】
0005458418.tif 000003
【図３】
0005458418.tif 000004
【図４】
0005458418.tif 000005
【図５】
0005458418.tif 000006
【図６】
0005458418.tif 000007
【図７】
0005458418.tif 000008
【図８】
0005458418.tif 000009
【図９】
0005458418.tif 000010
【図１０】
0005458418.tif 000011
【図１１】
0005458418.tif 000012